Podtech/llm-jp-corpus-v4-ja_patent huggingface dataset:
(57)【要約】      （修正有）【課題】地球環境の破壊や人体への安全に悪影響をおよぼさず、天候・季節・地域等の影響を受けない、安価で恒久的な動力エネルギーを得る装置を提供する。【解決手段】動力源となる起動装置は、滑走力源となる推進体７、起動を走行させるための軌道装置６で構成されている。起動装置は、滑走体１、バランス体３、車輪４，５、ローラー８等で構成されれている。推進体７は、弾性・反発力のある材質、スプリング・バネ等及びローラーで構成されている。軌道６は起動装置を軌道６に沿って一定方向に走行させる。起動装置の滑走体１は推進体７の反発力によって押し上げられ、傾斜に乗った状態で滑走する。車輪４，５は滑走体１に押されて回転すると同時に起動装置を軌道６に沿って走行させる。【選択図】図３
2014108044.tif 000002
【特許請求の範囲】
【請求項１】
動力源となる起動装置は、滑走体・バランス体及びローラー等で構成されれている。起動装置を走行させるために、走行力源となる推進体を起動装置の下部位置に連続して設置する。推進体は、弾性・反発力のある材質、スプリング・バネ等及びローラーで構成されている。推進体に乗せられた起動装置の滑走体は、推進体の反発力により押し上げられ、傾斜に乗った状態で滑走し、起動装置が走行する設備および装置。
【請求項２】
前記起動装置を軌道上で走行させるために、円または周軌道を設置する。推進体も軌道に沿って、起動装置の下部位置に連続して設置する。起動装置には軌道上を走行するために車輪を設置する。起動装置の車輪は滑走体に押されて回転すると同時に起動装置が軌道上を走行する設備および装置。
【発明の詳細な説明】
【技術分野】
【０００１】本発明は、発電等の動力を得るために、弾性・反発力のある材質、スプリング・バネ等及びローラーを用い、その弾性・反発力を活用して起動装置を滑走させる、滑走式起動装置及び設備である。
【背景技術】
【０００２】従来の動力エネルギー源は、水力、火力、原子力、太陽光、風力等によるものである。
【発明が解決しようとする課題】
【０００３】解決しようとする課題は、従来の動力エネルギー源は、水力、火力、原子力等であり、自然破壊、地球資源の消費、放射能の危険、ＣＯ２排出による地球温暖化等、地球環境の破壊や人体への安全に悪影響をおよぼしている。また、太陽光、風力等は、天候・季節・地域等の影響を受け不安定な状況である。
そこで、本発明は、滑走式起動装置及び設備を使用して得られた動力エネルギーを利用することにより、これらの問題を解決し、安価で恒久的な動力エネルギーを得ることを課題とする。
【課題を解決するための手段】
【０００４】以上の課題を解決するために、本発明は、動力源となる起動装置は、滑走体・バランス体及び車輪等で構成されれている。起動装置を走行させるために円または周軌道を設置する。軌道の下部位置に、軌道に沿って滑走力源となる推進体を連続して設置する。推進体は、弾性・反発力のある材質、スプリング・バネ等及びローラーで構成されている。軌道上に起動装置を設置する。起動装置の滑走体は推進体の反発力によって押し上げられ、傾斜に乗った状態で滑走する。起動装置の車輪は滑走体に押されて回転すると同時に起動装置が軌道上を走行する。
起動装置の走行に伴う車輪の回転運動及び起動装置の走行運動を発電等の動力エネルギーとして活用するための起動装置および設備。
【発明の効果】
【０００５】本発明によれば、従来の動力エネルギー源は、水力、火力、原子力は、自然破壊、地球資源の消費、放射能の危険、ＣＯ２排出による地球温暖化等、地球環境の破壊や人体への安全に悪影響をおよぼしている。また、太陽光、風力等は、天候・季節・地域の影響を受け不安定な状況である。
そこで、本発明は、滑走式起動装置及び設備を使用して得られた運動エネルギーを利用することにより、これらの問題を解決し、安価で恒久的な動力エネルギーが得られる。
【発明を実施するための最良の形態】
【０００６】この発明の一実施形態を、図１、図２、図３に示す。
図１  正面図
起動装置は、符号１の滑走体、符号２の滑走体ローラー、符号３のバランス体、符号４の上車輪、符号５の下車輪等で構成されている。起動装置は符号６の軌道上に上・下車輪で設置され、上車輪は起動装置の走行に、下車輪は起動装置の浮上を防止する。
符号７の推進体は、弾性・反発力のある材質を用い、符号８のローラー、符号９のスプリング・バネ等で構成されている。推進体は軌道の内側下部位置に連続して設置され、符号１の滑走体を押し上げることができる。符号８の推進体ローラーは、押し上げられ斜面に乗った滑走体を滑走しやすくする役割をする。符号１０の推進体取付台及び符号１１の推進体取付台本体は推進体を固定する。
図２  平面図
この図面は平面図である。
図３  説明図
滑走式起動装置及び設備の説明図である。【０００７】「他の実施形態」
図１、図２、図３の実施形態では、符号１の滑走体の形状は、直線状としているが、滑走の用を満たせば形状は自在である。符号２の滑走体ローラーは、タイヤ、車輪等でもよい。符号３のバランス体は、必要に応じて調整できる。符号４、５の車輪は、一対（両輪）となっているが何対あってもよい。符号６の軌道は、２本となっているが何本でもよい。符号７の推進体は、弾性・反発力のある材質（金属、ゴム、強化プラスチック等）で何箇所有ってもよい。符号８の推進体ローラーは、タイヤ、車輪等でもよい。符号９は反発力のあるバネ、スプリング等を使用する。推進体のみで機能が満足できれば、バネ・スプリング等の併用はしなくてもよい。符号１０の推進体取付台は、推進体の設置数に応じて何箇所有ってもよい。符号１１の推進体取付本体は、長い一枚板となっているが、取付台が固定できれば一枚板でなくてもよい。
【図面の簡単な説明】
【０００８】
【図１】この発明の一実施形態を示す正面断面図である。
【図２】この発明の一実施形態を示す平面図である。
【図３】この発明の一実施形態の説明図である。
【符号の説明】
【０００９】１  滑走体    ２  滑走体ローラー    ３  バランス体    ４  上車輪
５  下車輪    ６  軌道    ７  推進体    ８  推進体ローラー
９  バネ    １０  推進体取付台    １１  推進体取付本体
【図１】
2014108044.tif 000003
【図２】
2014108044.tif 000004
【図３】
2014108044.tif 000005
(57)【要約】【課題】  頭皮の毛根の皮脂、角質の汚れや皮膚のしわや毛穴等に溜った皮脂や古い角質等の除去、黒ずみの解消に効果のある機能繊維素材の製造方法を提供する。【解決手段】  微細研磨材、マイクロ弗素の粉体、エッセンスオイルを樹脂に均等に分散させたものを超極細繊維に混練含浸させた後、固化させることを特徴とする機能繊維素材の製造方法。【特許請求の範囲】
【請求項１】
微細研磨材、マイクロ弗素の粉体、エッセンスオイルを樹脂エマルジョンに均等に分散させたものを超極細繊維に混練含浸させた後、固化させることを特徴とする機能繊維素材の製造方法。
【発明の詳細な説明】
【技術分野】
【０００１】  本発明は頭皮や毛根の皮脂、角質の汚れ及び皮膚のしわや毛穴等の凹凸に溜った皮脂や古い角質等の除去や特に脚の踵、膝及び肘等への微細な毛先によるマッサージ効果で血流を良好にし、更に古い角質の黒ずみ等の解消に効果を有する機能繊維素材の製造方法に関するものである。
【背景技術】
【０００２】  従来使用されている極細繊維は表面が微細な毛先で構成されているが、水に濡らすと表面の毛先が倒れてしまい、皮膚の細かい部分に届かなくなり、前記の頭皮の毛根の皮脂や角質の汚れ、皮膚のしわや毛穴等に溜った皮脂や古い角質等の除去、特に脚の踵、膝や肘等への毛先のマッサージで血流を良くし、黒ずみの解消等の効果は得られなかった。
【先行技術文献】
【０００３】
【特許文献１】  特開２００６−１３０８９６号公報
【特許文献２】  実録３０１４７８１号公報
【発明の開示】
【発明が解決しようとする課題】
【０００４】  従来、極細繊維は表面に微細な毛先が構成されているが、水に濡らすと毛先が倒れてしまうため、皮膚の細部の汚れの除去効果が及ばなかった。
従って使用する際は勿論、使用しない場合でも水分を避けた状態に置く必要があった。
【課題を解決するための手段】
【０００５】  上記課題を解決するため本発明は、微細研磨材、マイクロ弗素の粉体、エッセンスオイルを樹脂に均等に分散させたものを超極細繊維に混練含浸させた後に固化させる機能繊維素材の製造方法である。
【発明の効果】
【０００６】  上記のような方法によって製造された機能繊維素材は頭皮及び頭髪の毛根の皮脂や角質の汚れや皮膚のしわ、毛穴等の微小な凹凸に溜った皮脂や古い角質等の除去に使用するもので、特に踵、膝、肘等に対する機能繊維素材の微細な毛先のマッサージ効果によって血流が良くなり、古い角質や黒ずみの除去、解消に優れた効果がある。
又、本発明によって製造された超極細繊維は樹脂エマルジョンにより含浸固化された後にコートされ、細かなブラシ状になって自立保持されるので、加工された繊維の毛先の端部が皮膚の細部に入り、皮脂や汚れや古い角質をかきとることができ、この時含浸しているマイクロ弗素の潤滑効果によって皮膚に過度の刺激を与えることなく余分な皮脂や汚れを取り除くことができる。
又、繊維素材に含浸したエッセンシャルオイルの徐放効果によって皮膚面をうるおす効果もある。
この機能繊維素材は特別な薬剤等を使用していないため、副作用等のトラブルが発生する恐れは全くない上に上記のような効果が得られるので老若男女を問わず安心して利用することができる。
【発明を実施するための最良の形態】
【０００７】  以下、本発明の実施の形態について説明する。
微細な粉末状にした研磨材とマイクロ弗素の粉体、エッセンスオイル等を樹脂に分散混入したものを超極細繊維に混練含浸させた後、固化させることによって機能繊維素材が得られる。
(57)【要約】【課題】水陸両用車のフラップを懸架する懸架装置において、重量増加を伴うことなく座屈強度の増加を図る。【解決手段】一端が車体１４に取り付けられており、他端には開口端面が形成されており、内部にダンパ２２を有するシリンダ２１と、ＰＣＣＰシェル構造であり、シリンダ２１の開口端面に挿入され、一端がダンパ２２を介してシリンダ２１と連結され、他端がフラップ１３を懸架するピストン２３とを備えることを特徴とする懸架装置を用いることにより、重量増加を伴うことなく座屈強度の増加を図る。【選択図】図１
2014108691.tif 000002
【特許請求の範囲】
【請求項１】
水陸両用車の車体前面にフラップを懸架する懸架装置であって、
一端が前記車体に取り付けられており、他端には開口端面が形成されており、内部にダンパを有するシリンダと、
ＰＣＣＰシェル構造であり、前記開口端面に挿入され、一端が前記ダンパを介して前記シリンダと連結され、他端が前記フラップを懸架するピストンとを備えることを特徴とする懸架装置。
【発明の詳細な説明】
【技術分野】
【０００１】
本発明は、水陸両用車用の懸架装置に関する。
【背景技術】
【０００２】
水陸両用車の概略図を図２に示す。図２を見ればわかるように、通常、水上航行中の水陸両用車１１の車体１４の前面には、懸架装置１２により、フラップ１３が傾斜を有して懸架されている（特許文献１参照）。
【０００３】
懸架装置１２は、シリンダ２１及びピストン２３を備えている。図２中の白抜き矢印は、造波抵抗、漂流物、或いはその他の様々な衝撃を示しているが、フラップ１３は、懸架装置１２で懸架されることにより、水上航行時に造波抵抗を吸収するだけでなく、漂流物やその他の様々な衝撃から車体１４を守る役割を担っている。
【先行技術文献】
【特許文献】
【０００４】
【特許文献１】特願平２−５１０９６５号
【発明の概要】
【発明が解決しようとする課題】
【０００５】
フラップ１３を懸架する懸架装置１２には座屈強度が求められるが、懸架装置１２の座屈強度を増加させるために径を太くすると、重量増加に繋がる。しかしながら、水陸両用車１１としてはより軽い車重が要求されるため、重量増加は好ましくない。
【０００６】
そこで本発明では、水陸両用車のフラップを懸架する懸架装置において、重量増加を伴うことなく座屈強度の増加を図ることを目的とする。
【課題を解決するための手段】
【０００７】
上記課題を解決する第１の発明に係る懸架装置は、
水陸両用車の車体前面にフラップを懸架する懸架装置であって、
一端が前記車体に取り付けられており、他端には開口端面が形成されており、内部にダンパを有するシリンダと、
ＰＣＣＰシェル構造であり、前記開口端面に挿入され、一端が前記ダンパを介して前記シリンダと連結され、他端が前記フラップを懸架するピストンとを備えることを特徴とする。
【発明の効果】
【０００８】
上記第１の発明に係る懸架装置によれば、ダンパとＰＣＣＰシェル構造のピストンとを備えることにより、水上航行において、造波抵抗等による衝撃はダンパにより吸収し、漂流物の接触等によるダンパでは吸収できない類の衝撃はＰＣＣＰシェル構造のピストンにより吸収することができ、様々な種類の衝撃に対応可能となり、重量増加を伴うことなく座屈強度の増加を図ることができる。
【図面の簡単な説明】
【０００９】
【図１】本発明の実施例１に係る懸架装置の概略図である。
【図２】水陸両用車の概略図である。
【発明を実施するための形態】
【００１０】
以下、本発明に係る懸架装置を実施例にて図面を用いて説明する。
【実施例１】
【００１１】
本発明の実施例１に係る懸架装置について図１，２を用いて詳述する。図１に表すように、懸架装置１２は車体１４の前面に設けられており、シリンダ２１、ダンパ２２及びピストン２３を備える。
【００１２】
上述のシリンダ２１は、一端が車体１４に取り付けられており、他端には開口端面が形成されており、内部にダンパ２２を有するものである。
【００１３】
上述のピストン２３は、シリンダ２１の開口端面に挿入され、一端がダンパ２２を介してシリンダ２１の内部と連結され、他端がフラップ１３を懸架するものである。本装置では、フラップ１３が進行方向に対し略４５°の傾斜を有して懸架されるものとする。
【００１４】
さらにピストン２３は、ＰＣＣＰシェル（Ｐｓｅｕｄｏ  Ｃｙｌｉｎｄｒｉｃａｌ  Ｃｏｎｃａｖｅ  Ｐｏｌｙｈｅｄｒａｌ  Ｓｈｅｌｌ）構造とすることで、重量増加を伴うことなく、座屈強度を増加できる。ＰＣＣＰシェル構造とは、三角形の骨格構造を立体的に組み合わせた構造であり、円筒形状のものに上から均一に圧力をかけるという容易な加工で成型が可能である。
【００１５】
そして、水陸両用車１１の陸上走行時には、本装置が収縮することでフラップ１３を収納した（閉じた）状態とし、水陸両用車１１の入水時には、本装置が伸長することでフラップ１３を収納した状態から車体１４前面に懸架した状態へ移行し、水陸両用車１１の水上航行時には、フラップ１３を車体１４前面に懸架した状態を維持する。
【００１６】
本発明の実施例１に係る懸架装置１２を上述のような構成とすることで、水陸両用車１１特有の様々な衝撃を吸収することが可能となる。
【００１７】
即ち、水陸両用車１１の水上航行において、造波抵抗等による衝撃はダンパ２２により吸収し、漂流物の接触等によるダンパ２２では吸収できない類の衝撃はＰＣＣＰシェル構造のピストン２３により吸収することで、様々な種類の衝撃に対応可能となり、重量増加を伴うことなく座屈強度の増加を図ることができる。さらに、フラップ１３が進行方向に対し略４５°の傾斜を有して懸架されることにより、フラップ１３の長手方向と本装置に垂直な方向に力が分散される。
【産業上の利用可能性】
【００１８】
本発明は水陸両用車用の懸架装置として好適である。
【符号の説明】
【００１９】
１１  水陸両用車
１２  懸架装置
１３  フラップ
１４  車体
２１  シリンダ
２２  ダンパ
２３  ピストン
【図１】
2014108691.tif 000003
【図２】
2014108691.tif 000004
(57)【要約】【課題】デスクワークで溜まった書類や資料などを整理、収納保管するとき、従来ファイルでは十分に枚数を挟めないとか傷つけるとかスペースを取りすぎるという問題があった。  本発明は、書類や資料などを傷つけることなく簡単に且つスペースを取らずに整理、収納保管できる組み立て式の事務用ファイルを提供する。【解決手段】厚紙で制作したファイルカバーの裏表紙に同じく厚紙で制作した書類収納ボックスを組み立てて接着し、全体の組み立てを終えてから使用する組み立て式書類収納ボックス付き事務用ファイル。【選択図】図１
2014108624.tif 000002
【特許請求の範囲】
【請求項１】
使用時には、厚紙でできた高さがファイルの３分に１から２分の１程度の書類収納ボックスを組み立て、同様に厚紙でできたファイルカバーの裏表紙の内側の上部又は下部の２か所のうちから片方のボックス接着位置を選んで接着することにより全体の組み立てを終えてから使用する、表紙の見開きが左右どちらでも選択可能な組み立て式書類収納ボックス付き事務用ファイル。
【発明の詳細な説明】
【技術分野】
【０００１】  本発明は、書類や資料などを金具などの閉じ具を使用しなくても傷つけたり落とすことなく簡単に整理、収納保管が可能な組み立て式書類収納ボックス付き事務用ファイルに関するものである。
【背景技術】
【０００２】  従来、書類などをファイルに整理、収納保管するにはバネを利用して抑え込む方式とか直接閉じ穴を開けて閉じる方式などファイルの裏表紙や背表紙に取り付けた金具などの閉じ具を使って行うほか、底幅の広い縦型のボックスタイプのファイルに仕舞うなどの方法があった。
なお、書類や資料などを傷つけることなく整理、収納保管する事務用ファイルとしては、クリアファイルのほか医療事務用ファイルが知られている（特許文献１参照）。
【先行技術文献】
【０００３】
【特許文献１】  特許公開２００２−３７０４８４
【発明の概要】
【発明が解決しようとする課題】
【０００４】  デスクワークで溜まった書類や資料などを一時的に整理、収納保管するためにファイルに挟んで仕舞っておくには、従来のバネを利用して抑え込む方式の事務用ファイルでは厚さの割には少ない枚数しか挟むことができず、閉じ穴を開ける方式では厚さに合った枚数を閉じることはできても、まだ最終的な段階ではないのに穴をあけて閉じ込むには早すぎて使い勝手が悪いとか書類などを傷つけるという問題があった。また底幅の広いボックスタイプのファイルではスペースを取り過ぎるという問題もあった。
本発明は、以上の問題点を解決するためになされたものである。
【課題を解決るための手段】
【０００５】  書類収納ボックスは、高さがファイルの高さの３分の１から２分の１程度で横の長さはＡ４サイズなどの規定の用紙をクリアファイルに挟んで入れても余裕が持てるほどの幅の正面壁とその横と上に側壁と底板が付いた基本部分で構成し、側壁と底板には接着面が付属した形の一枚の厚紙で制作したパーツで、ファイルカバーは、裏表紙の内側の上部と下部に書類収納ボックスが接着される位置を斜線などで表示し、それに続く背表紙と表紙が自由に動くようにした長方形の一枚の厚紙で制作した上から見るとコの字型のパーツである。
以上の二つのパーツを組み立てて使う組み立て式書類収納ボックス付き事務用ファイル。
【発明の効果】
【０００６】  本発明により、デスクワークで乱雑になった机上の書類や資料などを一時的に整理、収納保管しようとするときに、それらを簡単に且つ傷つけることなく従来よりも狭いスペースに収めることができる。また、書類収納ボックスをファイルの３分の１から２分の１程度の高さにすることで表紙を開いたときに中に仕舞った書類などが見易くなる効果があるほか通常の事務用ファイルとしても使用できる。
本発明は、厚紙だけで制作し金具などの閉じ具を使っていないため製造コストを抑制できるほか、組み立て式のため販売・製造業者にとっても保管スペースを削減でき、輸送コストも軽減できる。また、カバンなどに入れて持ち運ぶときは大きな輪ゴムを上下または左右にかければ書類などがファイルから飛び出すこともなく使用できる。
更に、書類収納ボックスの接着位置を裏表紙の上下逆にして組み立てればファイルの見開きを左右どちらのパターンでも選んで使うことが可能となる。
【図面の簡単な説明】
【０００７】
【図１】本発明の組み立て後の斜視図
【図２】本発明のパーツの書類収納ボックスを外側から見た展開図
【発明を実施するための形態】
【０００８】以下、本発明の実施の形態について説明する。
（イ）（４）書類収納ボックスの（５）ボックス正面壁の幅は、Ａ４サイズなどの規定の用紙をクリアファイルに挟んで入れたときにも余裕をもって収納できる幅とし、高さはファイルカバーの高さの３分の１から２分の１程度とし、（７）ボックス側壁と（６）ボックス底板の幅は収納する用紙の量により規格を定めて制作する。
（ロ）ファイルカバーの表紙の高さは、Ａ４サイズなどの規定の用紙をクリアファイルに挟んで書類収納ボックスに入れたときよりも少し高くし、横幅も取り付けた（４）書類収納ボックスの幅より少し広くし、背表紙の幅も（１）ファイルの表紙を閉じたときに（４）書類収納ボックスがスムーズに収まるように（７）ボックス側壁よりやや広めに制作する。
本発明は以上のような構造である。
本発明を使用するときは、展開した（４）書類収納ボックスの各面をすべて外側に折り曲げ、２つの（９）Ｂ面の両方を（７）ボックス側壁の裏側に接着し、次に２つの（１０）Ｃ面を（９）Ａ面の裏側に接着して（４）書類収納ボックスを完成させ、最後に（４）書類収納ボックスの底とファイルの裏表紙の底辺を揃えながら（７）ボックス側壁が（３）ファイルの背表紙に接するようにして、（８）Ａ面を裏表紙の下部に表示された（１１）ボックス接着位置に接着することにより組み立てが完了してから使用する。
なお、この組立方法は（１）ファイルの表紙を右から左へ開くパターンの説明であり、（８）Ａ面を接着する位置を（２）ファイルの裏表紙の上部に表示された（４）ボックス接着位置に変更すれば、表紙を左から右へ開けるパターンとなる。
【符号の説明】
【０００９】１  ファイルの表紙、２  ファイルの裏表紙、３  ファイルの背表紙、４  書類収納ボックス、５  ボックス正面壁、６  ボックス底板、７  ボックス側壁、８  Ａ面、９  Ｂ面、１０  Ｃ面、１１  ボックス接着位置
【図１】
2014108624.tif 000003
【図２】
2014108624.tif 000004
(57)【要約】【課題】  消しゴムの使用時に発生する消しクズを回収するときに、すぐに回収しやすいように、消しゴムの一端面に、消しクズを回収する機能を有する粘着シートを設けた消しクズ回収用粘着シートつき消しゴムを提供する。【解決手段】  消しゴムの一端面に、消しクズを回収する機能を有する粘着シートを設けた消しクズ回収用粘着シートつき消しゴム。【選択図】図１
2014108626.tif 000002
【特許請求の範囲】
【請求項１】
消しゴムの一端面に、消しクズを回収する機能を有する粘着シートを設けた消しクズ回収用粘着シートつき消しゴム。
【発明の詳細な説明】
【技術分類】
【０００１】  この発明は、消しゴムの一端面に消しクズを回収する機能を有する消しクズ回収用粘着シートつき消しゴムに関するものである。
【背景技術】
【０００２】  従来、消しゴムと、消しクズを回収する用具は別々になっていた。
【先行技術文献】
【０００３】
【特許文献１】  特開２０１１−３１５９８号公開
【発明の概要】
【発明が解決しようとする課題】
【０００４】  これは、次のような欠点があった。
従来、消しゴムの使用時に発生する消しクズを回収する必要が生じたときに、消しクズを回収する用具を見つけにくく、困ることが多かった。本発明は、以上のような欠点をなくすためになされたものである。
【課題を解決するための手段】
【０００５】  消しゴム（１）の一端面に、粘着シート（２）を設ける。
本発明は、以上の構成によりなる消しクズ回収用粘着シートつき消しゴムである。
【本発明の効果】
【０００６】  粘着シートと消しゴムとが一体になっているので、消しクズを回収する必要が生じた場合でも、探す手間が省ける。また、粘着シートは小型軽量であるので、消しゴムの使いやすさの妨げになることは少ない。
【図面の簡単な説明】
【０００７】
【図１】  本発明の斜視図である。
【図２】  本発明の断面図である。
【発明を実施するための形態】
【０００８】  以下、本発明を実施するための形態について説明する。
消しゴム（１）の一端面に、消しクズを回収する機能を有する粘着シート（２）を設ける。
粘着シート（２）は、両面粘着型などを使用して、消しゴム（１）の一端面に直接貼り付ける。
本発明は、以上のような構成である。
これを使用するときは、消しゴムと一体となったこの粘着シートで、消しクズを粘着して回収することができる。
【符号の説明】
【０００９】  １  消しゴム
２  粘着シート
【図１】
2014108626.tif 000003
【図２】
2014108626.tif 000004
(57)【要約】      （修正有）【課題】ドームカバーやクロッシュとも呼ばれる被せ蓋を新たに購入することなく、既存の料理用のボウルやバット及びそれに類するもの、すなわち料理用の容器を利用して被せ蓋としての機能を享受し、尚且つ普段は料理用の容器本来の用途に供しつつ、必要に応じて被せ蓋として利用する為の着脱式取手を提供する。【解決手段】装着することで、料理用の容器４を被せ蓋として利用する際の利便性を高め、特に火傷を負う危険性を軽減し、結果的に専用の調理器具である被せ蓋と同様の機能を享受することを可能とした。また、磁石２を利用した着脱式取手１であり、取り外せば料理用の容器本来の形状や機能を回復するので、一品二役による効率的で合理的な運用を可能とした。【選択図】図２
2014108263.tif 000002
【特許請求の範囲】
【請求項１】
料理用の容器に取り付けて使用する為の着脱式取手であって、底部に磁石を有する取手本体部と、前記磁石に磁力により吸着する磁性素材を有する吸着補助体とを備える着脱式取手。
【請求項２】
料理用の容器の外側表面に請求項１記載の着脱式取手の取手本体部を配置し、前記容器の内側表面の前記取手本体部の前記磁石に対向する部位に請求項１記載の着脱式取手の吸着補助体を配置し、磁気的吸着力により前記容器を挟むようにして前記容器に前記着脱式取手を着脱可能に取り付けて前記容器を取手付きの料理用被せ蓋として使用する方法。
【発明の詳細な説明】
【技術分野】
【０００１】
本発明は料理用のボウルやバット及びそれに類するもの、すなわち料理用の容器であって本来は被せ蓋としての使用を予定されていないものを被せ蓋として用いることを容易にする磁石付の着脱式取手に関する。
【背景技術】
【０００２】
お好み焼きやステーキ等を調理する時にドームカバーやクロッシュとも呼ばれる被せ蓋を用いると適度な蒸しを加えると共に熱量を効率的に利用して調理時間を短縮することができるが、専ら業務用の調理器具として使用されているのが実状であり、一般家庭では使用頻度が少ないことや保管場所に窮することもあって普及していない。
【先行技術文献】
【特許文献】
【０００３】
【特許文献１】特許公開平１０−１７４６５５
【特許文献２】特許公開２００４−１６３７５
【発明の概要】
【発明が解決しようとする課題】
【０００４】
被せ蓋の形状に類似する料理用の容器を代用品として利用できれば効率的であり合理的なのだが、料理用の容器をそのまま蓋体として用いることは使い勝手が悪く火傷を負う危険性も想定されるので使い勝手の良い取手の装着が望まれる。しかし、穿孔や溶接により取手を取り付けた場合には料理用の容器としての本来機能を著しく喪失することとなる。
また、料理用の容器の多くは非磁性素材のアルミやステンレス、或は合成樹脂等を用いている為に磁石が吸着しない。
【０００５】
先行技術の着脱式取手は対となる蓋体専用の器具であり、対となる蓋体と異なる蓋体及び料理用の容器への装着を可能とする汎用性を有していない。
【課題を解決するための手段】
【０００６】
そこで、料理用の容器の外側表面に着脱式取手の取手本体部を配置し、前記容器を挟むようにして前記容器の内側表面に磁石により吸着する磁性素材を有する吸着補助体を配置することで、磁気的吸着力により前記容器に前記着脱式取手を装着させ、使い勝手の良い被せ蓋として使用することを実現する。
【０００７】
また、磁石が持つ吸着機能を応用することで、市販されている料理用の容器に特別な加工を施すことも無く簡単に取手を装着させることを実現する。
【発明の効果】
【０００８】
上述の様に、本発明は料理用の容器本来の形状や機能を維持しつつ、必要に応じて取手を装着することで被せ蓋として利用することを可能とした。
【０００９】
磁気的吸着力を応用することにより、着脱が容易でありながら安定性した装着性を確保した。
【００１０】
また、サイズや形状及び素材が異なる多種多様な料理用の容器に装着することができるので、用途にあわせて使い回しすることを可能とした。
【００１１】
極めて簡易な構造でありながら効率的に繰り返し使うことを可能とし、コスト面での優位性を得た。
【図面の簡単な説明】
【００１２】
【図１】本発明の底部に磁石を有する取手本体部と磁力により吸着する磁性素材を有する吸着補助板を示す図である。
【図２】本発明を料理用の容器に装着する手順を示す図である。
【図３】本発明を料理用の容器に装着した時の形状を示す図である。
【発明を実施するための形態】
【００１３】
図１に示すように底部に磁石２を有する取手本体部１と磁力により吸着する磁性素材を有する吸着補助体３とを組み合わせて使用する着脱式取手である。
【００１４】
また、取手本体部１の底部表面と磁石２の表面が面合わせとなる構造とすることが望ましく、例えば取手本体部１の底部に凹部を形成して前記凹部に磁石２埋め込む様にして装着させ、前記凹部と磁石２を接着剤等を用いて固定させる仕様が考えられる。
【００１５】
次に使用の方法について説明する。
【００１６】
図２が示すように磁石２の磁気的吸着力を利用して取手本体部１を料理用の容器４の外側表面に装着するが、料理用の容器４の内側表面に磁力により吸着する磁性素材を有する吸着補助体３を配置することにより料理用の容器４が非磁性素材であっても磁石２による磁気的吸着力が確保され取手本体部１の装着が可能となる。
【００１７】
図３が示すように取手本体部１の底部にある磁石２の磁気的吸着力が磁力により吸着する磁性素材を有する吸着補助体３に作用して取手本体部１の装着が維持される。
【００１８】
磁石２には、取手本体部１の装着安定性を向上させる為に強力磁石を使用するとなおよい。
【００１９】
取手の形状は用途や趣向に応じて様々な意匠を用いることが可能である。
【００２０】
本発明を装着した料理用の容器は料理を保温保護するフードカバーや中華鍋の蓋として用いることも可能である。
【符号の説明】
【００２１】
１  取手本体部
２  磁石
３  吸着補助体
４  料理用の容器
【図１】
2014108263.tif 000003
【図２】
2014108263.tif 000004
【図３】
2014108263.tif 000005
(57)【要約】【課題】電気加熱式であるか温水注入式であるかを問わず、薄箱形状の足温器は、人が仰臥の姿勢で足部を採暖するとき、足は踵部分が接触するのみで採暖効率が悪い。また厚みのある足温器には、仰臥姿勢で踵を乗せることさえもままならない。さらに寝具内で足温器を使用するとき、足の動作により左右に蹴り出してしまうことがる。【解決手段】就寝時に仰臥姿勢で足裏とくるぶしあたりを楽な姿勢で同時に暖めることができ、さらに左右へのずれを防止する機能を有する、横軸本体部と縦軸本体部が横軸本体部の中央部分で結合し、全体が立体的Ｔ字型の足温器。【選択図】図３
2014108252.tif 000002
【特許請求の範囲】
【請求項１】
電気加熱または温水注入などによって用いる足温器であり、人が仰臥姿勢をとったとき、足底部が接触することができる横軸本体部を有し、踝周辺内足部が接触することができる縦軸本体部が前記横軸本体部の中央部分で結合し、全体が立体的Ｔ字型を有していることを特徴とする足温器。
【発明の詳細な説明】
【技術分野】
【０００１】
足温器に関する
【背景技術】
【０００２】
従来、足温器に関する技術が開示されている（例えば、特許文献１を参照。）。この方法は折り曲げ自在な袋状をしており、空気やスポンジ等で膨らませて用いる。
【０００３】
特許文献１によれば、袋状に立体的な発熱体が足などを暖めることで本願発明と類似する。
【０００４】
本願発明は、Ｔ字型を構成している横軸本体部が足底部を、縦軸本体部が踝周辺内足部を同時に暖めることができる点で異なる。
【０００５】
特許文献２によれば、寝具内で立体的に足を暖めることで本願発明と類似する。
【０００６】
本願発明は、足による接触が可能な横軸本体部と縦軸本体部とを有する点で異なる。
【０００７】
特許文献３によれば、仰臥の姿勢で両足裏が接触できる加温部分を有することで類似する。
【０００８】
本願発明は、形状が立体的なＴ字型である点と、足底部と踝周辺内足部を同時に暖めることができる点で異なる。
【０００９】
特許文献４によれば、立体的に形成された採暖具であることで類似する。
【００１０】
本願発明は、立体的なＴ字形状をしている点で異なる。
【先行技術文献】
【特許文献】
【００１１】
【特許文献１】実開平５−９３４２５
【特許文献２】実開平７−３３３１１
【特許文献３】特開２００５−２２４５６８
【特許文献４】特開平２００７−２６０１４７
【発明の概要】
【発明が解決しようとする課題】
【００１２】
足温器は電気加熱式であるか温水注入式であるかを問わず、薄箱形状をしていれば、人が仰臥の姿勢で足部を採暖するとき、足裏は踵から先、つま先部分にかけてが空中に置かれ、踵部分のみが足温器に接触することになるので採暖効率が悪い。また足温器が厚みのある形状をしていれば仰臥姿勢では、踵を乗せることさえもままならず、長時間に及ぶときはかえって苦痛である。
【００１３】
そのため、就寝時に仰臥姿勢で足底部を足温器で無理なく接触または近接で暖められたら、身体が楽な上に、採暖が効果的であり、さらに足の複数部位を同時に暖めることができれば採暖効果がより高まる。
【００１４】
寝具内で足温器を使用するとき、足温器を就寝中の足の動作により左右に意図せず移動させてしまい、気が付いたときには足温器が寝具からはみ出ていることがある。
【００１５】
そのため、足温器の縦軸部分を両足ではさむ状態に置くことで安定させれば、寝具からのはみ出しを防止できる。また足温器がＴ字型であるので寝具上で滑りにくく、意図しない移動防止に資する。
【００１６】
本願発明は、上記課題を一括して解決できる足温器を提供することを目的としている。
【課題を解決するための手段】
【００１７】
上記課題を解決するために、請求項１の発明は、電気加熱または温水注入などによって用いる足温器であり、人が仰臥姿勢をとったとき、足底部が接触することができる横軸本体部を有し、踝周辺内足部が接触することができる縦軸本体部が前記横軸本体部の中央部分で結合し、全体が立体的Ｔ字型を有していることを要旨とする。
【発明の効果】
【００１８】
仰臥姿勢で足底部を無理なく、効果的に暖めることができる。
【００１９】
同時に足底部と踝周辺内足部の２部位を暖めることができる。
【００２０】
足温器本体の左右への足による意図しない移動を防止できる。
【図面の簡単な説明】
【００２１】
【図１】Ｔ型立体形状足温器の上面図
【図２】Ｔ型立体形状足温器の上面図その２
【図３】Ｔ型立体形状足温器の斜視図
【図４】Ｔ型立体形状足温器の側面図
【発明を実施するための形態】
【００２２】
図１はＴ型立体形状足温器の上面図である。横軸本体部１０と縦軸本体部２０は横軸本体部１０の中央部分で結合している。
【００２３】
図２はＴ型立体形状足温器の上面図である。横軸本体部１０は足底部が無理なく接することができるなら、必ずしも縦軸本体部２０に対して直角でなくともよい。
【００２４】
図３はＴ型立体形状足温器の斜視図である。図３では横軸本体部１０を円筒形としているが、足底部が無理なく接することができる立体形状であればよい。
【００２５】
図４はＴ型立体形状足温器の側面図である。足（左）３０の足底部は横軸本体部１０に、踝周辺内足部は縦軸本体部２０に接している。
【産業上の利用可能性】
【００２６】
冬季に冷え性で苦しむ人がおり、足の末端であるつま先に進むにつれて症状が悪化する。本願発明は仰向けに寝ながら、自然な足の姿勢で踵からつま先にかけて足の裏全体を接触もしくは近接して暖めることができ、加えて内くるぶし周辺部も同時に暖めることができて採暖上効果的なので、利用される可能性がある。
【符号の説明】
【００２７】
１０  横軸本体部
２０  縦軸本体部
３０  足（左）
【図１】
2014108252.tif 000003
【図２】
2014108252.tif 000004
【図３】
2014108252.tif 000005
【図４】
2014108252.tif 000006
(57)【要約】【課題】  箱を開かなくても内容物の一部が外側から確認できるようにした窓を設けた段ボール箱を提供する。【解決の手段】  箱の側面に窓を設けた窓付きの段ボール箱を特徴とする。【選択図】図１
2014108827.tif 000002
【特許請求の範囲】
【請求項１】
段ボール箱に窓を設け、内容物の一部が外側から確認できるようにした窓付きの段ボール箱。
【発明の詳細な説明】
【技術分野】
【０００１】  この発明は、段ボール箱に窓を設けた窓付きの段ボール箱に関するものである。
【背景技術】
【０００２】  従来、段ボール箱の中に何が入っているのかは箱を開けないと分からなかった。
【発明の開示】
【発明が解決しようとする課題】
【０００３】  これには、次のような欠点があった。
段ボール箱を衣類等の入れ物として利用した場合、表示だけでは中味を正確に知ることが出来ず、箱を開けなければ中味は正確には分からなかった。
本発明は、以上のような欠点をなくすためになされたものである。
【課題を解決するための手段】
【０００４】  段ボール箱を開かなくても内容物が外側から確認できるよう、段ボール箱に上下方向の帯状の窓を設ける。
本発明は、以上の構成よりなる窓付きの段ボール箱である。
【発明の効果】
【０００５】  段ボール箱の側面に窓が付いているため、箱を開かなくとも内容物を外側から確認することが可能となる。
【発明を実施するための最良の形態】
【０００６】  以下、本発明を実施するための最良の形態について説明する。
段ボール箱に帯状の窓（１）を設ける。
本発明は、以上のような構造である。
これを使用するときは、上下方向に伸びた帯状の窓から箱の内容物を確認すればよい。
【図面の簡単な説明】
【０００７】
【図１】  本発明の斜視図である。
【符号の説明】
【０００８】  １  窓
２  透明シート
３  段ボール箱
【図１】
2014108827.tif 000003
(57)【要約】      （修正有）【課題】汚物が地面に落ちる前、落ちた後も1個の器具で簡単に処理でき、手や器具が汚物に触れることなく衛生的に処理できる汚物処理器具の提供。【解決手段】硬質で軽量な部材で、器具本体中央部の大半を空洞化したフレーム状の一体の物で構成され、組み立てた汚物処理器具２をビニール袋３の内側に装着し、取り込まれた汚物の重さでビニール袋が沈み込み、回収後、汚物処理器具２を折りたたみ、ビニール袋を裏返しすることで、汚物が器具や手に触れることなく衛生的に行えるよう装備した。【選択図】図２
2014239662.tif 000002
【特許請求の範囲】
【請求項１】
人間や動物に用いる汚物処理器具で、軽量で硬質な部材で、器具本体中央部の大半を
空洞化したフレーム状の一体の物で構成され、器具本体の中央部に折り曲げ線加工を
施し、器具本体中央部で折りたたみできる構造で形成させ、使用時には器具本体を、
ビニール袋の内側に装着し、取り込んだ汚物の重さでビニール袋が沈み込むことで、
汚物の漏れを防ぎ、使用後は汚物の入ったビニール袋が回収しやすくするため、器具
本体を折り曲げ、ビニール袋の開口部下端部を持ち、裏返しさせることで回収できる
ことを特徴とする汚物処理器具。
【発明の詳細な説明】
【技術分野】
【０００１】
本発明は、人間及び動物の汚物処理に関する。
【背景技術】
【０００２】
従来から、人間及び動物の汚物処理器具は、提供されている。
（特許文献１〜３）
【先行技術文献】
【特許文献】
【０００３】
【特許文献１】特開  ２０１１−０３６１７５
【特許文献２】特開  ２００４−２４２９７５
【特許文献３】登録実用新案第３０２８６３８号
【発明の概要】
【発明が解決しようとする課題】
【０００４】
従来、提供されている汚物処理器具は数種類あるが、その多くは、汚物を取り込むのに
付属する器具を使用して用いる場合が多く、また、１つの回収方法しかなく利便性に欠け
ていた。付属品を用いることなく簡単な構造で、衛生的に使用できる器具を提供することを
、本発明の目的とした。
【課題を解決するための手段】
【０００５】
次に、上記課題を解決するために、その手段を説明する。
【０００６】
本発明の請求項１は、軽量で硬質な部材で、器具本体中央部の大半を空洞化したフレーム状
の一体の物で構成され、器具本体の中央部に折り曲げ線加工を施し、器具本体中央部で折りたた  みできる構造で形成された汚物処理器具で、使用時は組み立てた汚物処理器具を、ビニール袋の  内側に装着し、取り込んだ汚物の重さでビニール袋が沈み込むことで、汚物の漏れを防ぎ、
使用後は汚物の入ったビニール袋を回収し易くするため、本体器具を折り曲げ、ビニール袋
の下端部を持ち、反転させることで回収できることを特徴とする汚物処理器具。
【発明の効果】
【０００７】
本発明は以上述べたように構成されているので以下に記載されるような効果を奏す。
【０００８】
汚物に直接、手や器具が触れない為、衛生的に処理できる。
【０００９】
汚物が地面に落ちる前、落ちた後の二つの回収方法が可能であり利便性が高い。
【００１０】
片手で簡単に処理でき、軽量のため、持ち運びも苦にならない。
【図面の簡単な説明】
【００１１】
【図１】汚物処理器具の組み立て前の図と、組み立てた図。
【図２】汚物処理器具にビニール袋を装着した図。
【図３】汚物処理器具に汚物を取り込んだ図。
【図４】地面に落ちた汚物を汚物処理器具で掴み取っ手いる図。
【図５】汚物処理器具に取り込んだ汚物を回収している図。
【発明を実施するための形態】
【００１２】
次は、この発明の実施の形態について説明する。
【００１３】
図１の汚物処理器具の構成を説明する。硬質で軽量な部材で、汚物処理器具中央部の
大半を空洞化dしたフレーム状１の一体の物で構成され、折り曲げ線a7,a8,a3,a4,a5
,a6それぞれを折り曲げ、差し込み口b1,b2,b3,b4にc1,c2,c3,c4の部分を差し込み、図１
の２で示したものが組み立てた汚物処理器具である。
【００１４】
図２の汚物処理器具２を使用する際は、ビニール袋３の内側に汚物処理器具２を装着し、
使用する。
【００１５】
図３は、汚物処理器具２に汚物５が取り込まれた状態で、汚物５の重さによってビニール
袋３が沈み込み、一旦取り込んだ汚物５がこぼれ落ちない構造である。
【００１６】
図４は、地面に落ちた汚物５を汚物処理器具２を使って、掴み取っているところである。
【００１７】
図５は、汚物５を汚物処理器具２に取り込み、汚物処理器具２の中央部a1,a2で折り曲げ、
ビニール袋３の下端部を持ち、ビニール袋を裏返し回収している所である。
【符号の説明】
【００１８】
１      組み立て前汚物処理器具
２      組み立てた状態の汚物処理器具
３      ビニール袋
４      ビニール袋開口部
５      汚物
a1      折り曲げ線
a2      折り曲げ線
a3      折り曲げ線
a4      折り曲げ線
a5      折り曲げ線
a6      折り曲げ線
a7      折り曲げ線
a8      折り曲げ線
b1      差し込み口
b2      差し込み口
b3      差し込み口
b4      差し込み口
c1      差し込み凸部
c2      差し込み凸部
c3      差し込み凸部
c4      差し込み凸部
d       空洞部
【図１】
2014239662.tif 000003
【図２】
2014239662.tif 000004
【図３】
2014239662.tif 000005
【図４】
2014239662.tif 000006
【図５】
2014239662.tif 000007
(57)【要約】【課題】  従来、蓄光材は昼間の光で蓄光した光は夕方から発光して夜には、ほとんど光を感じないことを課題とします。【解決手段】  電気の光源の光の通り道に蓄光材の文字やマーク等を設置し、また蓄光材の表面を透光性の和紙等で覆って蓄光材の文字やマークを隠し、昼間の通常時や電気の光源の発光時には通常の照明器具で文字やマーク等が見えにくく、暗い中で電気の光源を消灯後から文字やマーク等を電気を使わずはっきり表示する。【選択図】図１
2014239021.tif 000002
【特許請求の範囲】
【請求項１】
蓄光材の文字や模様等と電気の光源を組み合わせた残光型の照明器具
【請求項２】
蓄光材の表面に和紙等で覆って昼間の通常時、電気の光源の発光時には、蓄光材の文字や模様は見えなく、暗い中で光源を消灯すると初めて文字や模様が浮き出ることを特徴とする照明器具
【請求項３】
一部に蓄光材を埋め込んだ板等の表面の仕上げをそれぞれの地域の伝統工芸品の九谷焼等や漆塗り等の特徴を持つ、避難誘導灯や案内板等で電気の光源を併用して暗い中、消灯後に蓄光の部分の文字やマーク等が鮮明になる案内板等
【発明の詳細な説明】
【技術分野】
【０００１】  本発明は屋外の場合に太陽光や室内の場合に照明器具の光等をあてにせず電気の光源と蓄光材を組み合わせた残光型の照明器具や表示板や案内板等です。
【背景技術】
【０００２】特に文献の知識は、ないです。
【発明の開示】
【発明が解決しようとする課題】
【０００３】  しかし、蓄光材は昼間の光で蓄光したものは夕方の早い時間から発光して夜には、ほとんど光を感じないことを課題とする。
【課題を解決するための手段】
【０００４】  この課題を解決するための請求項１の発明は、電気の光源の光の通り道に蓄光材を設置して光を蓄えて消灯後から長時間、発光する。【０００５】  また、請求項２の発明は、光源の光の通り道に蓄光材の文字等を設置し、また、蓄光材の表面を透光性の和紙等で覆って蓄光の文字等を隠し、昼間の通常時や電気の光源の発光時には通常の照明器具で、暗い中で光源を消灯後に文字やマークや方向指示等を電気を使わず表示し長時間、発光する。【０００６】  また、請求項３の発明は、一部に蓄光材を埋め込んだ避難誘導灯や案内板に電気の光源を取り入れて、更に表面の仕上げにそれぞれの地域の伝統工芸品等にし、昼間は工芸品として夜間や電気のライトの消灯後に一部に埋め込んだ蓄光材がマークや方向指示等を電気を使わず表示し長時間、発光する。
【発明の効果】  本発明により、長時間発光の蓄光材でも夕方から発光してしまい本当の暗い時には目で発光を確認できない状況でしたが電気の光源と長時間発光の蓄光材の組み合わせによって夜間に消灯した時点から発光して文字やマーク等を表示する。また、誘導灯や案内板等にそれぞれの地域の工芸品と組み合わせることで特徴のある地域性を出せる。
【発明を実施するための最良の形態】
【０００７】  図１はスタンドライトの一面の少し奥に透明なエンビ板等に長時間発光する蓄光材を貼り付けた状態の断面図です。【０００８】  図２はアルミ板等に模様を彫り、その溝に蓄光材を充填して  その表面に伝統工芸の蒔絵を施して蛍光灯等で光を当てる案内板の断面図です。
【産業上の利用の可能性】
【０００９】本発明に係る形状は工業的に量産することが可能であるため産業上の利用可能性を有する。
【図面の簡単な説明】
【００１０】
【図１】  蓄光する部分と仕上がりの表面の和紙とに隙間を空ける事により昼間の通常時や電気の光源の発光時には通常の照明器具で文字やマーク等は見えないで、暗い中で消灯すると文字やマーク等がはっきり浮き出るスタンドライトの断面図です。
【図２】  アルミ板等の表面の一部に蓄光材を埋め込んで表面にその地域の伝統工芸品の仕上げをして昼間は工芸品らしく夜は消灯後にマークや方向指示等を発光して表示する案内板等の断面図です。
【符号の説明】
【００１１】１    和紙
２    蓄光材の文字やマーク
３    電気の光源体
４    透明なエンビ板
５    アルミの板
６    伝統工芸の蒔絵
【図１】
2014239021.tif 000003
【図２】
2014239021.tif 000004
(57)【要約】      （修正有）【課題】清潔な便座環境を実現し、その取り扱いと制御を確実なものとする立体便座を提供する。【解決手段】便器前方上端２１外周よりも便座前方外周１１を大きくしてその末端を便器前方上端２１よりも低くさせていく表面に段差を設けた立体的便座として便器２の前方上部外周囲を立体的に覆って、汚染箇所から手や衣類を隔離し、便座１を上下操作する確実な手掛かりとなる。【選択図】図２
2014239844.tif 000002
【特許請求の範囲】
【請求項１】
洋式の、便蓋、便座を便器に重ねて取り付けた状態において、その取り付け部方を便座、便器の後方、対側方を各前方として、便器前方上端外周よりも便座前方外周を大きくして、その便座の前方外周末端を便器前方上端よりも低くさせていく表面に段差を設けた立体的便座。
【発明の詳細な説明】
【技術分野】
【０００１】  本発明は洋式における、便蓋、便座を取り付け部により便器に重ねて取り付けた状態において、便蓋便座の取り付け部方を便座、便器の後方、対側方を各前方として、便器前方上端外周よりも便座前方外周を大きくして、その便座前方外周部末端を便器前方上端よりも低くさせていく表面に段差を設けた立体的便座に関する。
【背景技術】
【０００２】    従来の洋式の便器に便座を取り付け部により取り付けた形式は、平板状の平面的便座を便器上後方に一端を取り付け、前方たる他端を上下動自在として、男性が小便をする際は、便座を後方に跳ね上げておき、便座や便器上端に小便がかからないようにしていたが、男としても一生懸命、汚れないように注意はするけれども、放射の方向をわずかに誤ると便器上部を汚してしまい、便座が便器上に重なる状態において、便座が平面的であるため便器上端外周が露出しており、便座を上げ下げ操作する際にはその小便の汚染箇所が指先に触れたり、汚染箇所を避けながらの不確保の操作となるため中途で指の制御を離れて、緩衝機能のない機種は、便器上に降下激突して、不快な激突音とさらには便座の破損を招く場合があった。【０００３】    さらに、便器と便座の前方外周寸法が近似の形状であり、着座使用する際は、便座上の前方に押しやられて丸まっている弛緩衣服が前記便器の汚染箇所に触れたり等により、共用する全女性の顰蹙と怒りを招くこととなっていた。そのため、女性たちから、男の小便であっても着座使用を命令され、男としては大いに不満であり、個人個室であることから、言いつけにそむいて男本来の立位姿勢で用を足し、それが露見して男女間の潜在的な軋轢となる例もある【０００４】    家庭内においては、離婚の一因にもなった。
【発明の開示】
【発明が解決しようとする課題】
【０００５】本発明は従来の実態が有していた問題を解決しようとするものであり、清潔な便座環境を実現し、その取り扱いと制御を確実なものとすることを目的とする。
【課題を解決するための手段】
【０００６】  本発明は、その実現のため、便器前方上端外周よりも便座前方外周を大きくしてその末端を便器前方上端よりも低くさせていく表面に隆起状あるいは陥没状、あるいは別途素材により段差を設けた立体的便座とする。【０００７】  前記課題の解決手段による作用は次のとおりである。【０００８】  本発明の便座前方外周末端を便器前方上端よりも低くさせていく部分は便器前方上部外周囲を覆って付着した汚染箇所から指や衣服を隔離し、便座の前記段差部は便座を上下操作する手掛かりとなる。
【発明の効果】
【０００９】    便座の前方外周末端を低くさせていく部分は前記便器の前方上部外周囲を立体的に覆って、汚染箇所から手や衣類を隔離することとなり、前方外周末端を低くさせていく表面に設けた段差部は裏面側の汚染箇所から隔離されているので、安心して便座を上下操作する確実な手掛かりとなり、共同使用する全女性の顰蹙と怒りを招くことがなくなる。【００１０】    便座の前方外周末端を低くさせていく部分は便器の前方上部外周囲を立体的に覆うのであるが、便座にかぶさる便蓋とのデザイン的効果等の観点から、さらに便器の後方上部外周囲まで延長してもよい。
【発明を実施するための最良の形態】
【００１１】    本発明の実施の一例の形態を図１、図２に基づいて説明する。【００１２】    本発明の洋式の、便器２に便座１、便蓋３が便座便蓋の取り付け部４により対側方が上下動可能に取り付いており、その取り付け部４方を便座、便器の後方、対側方を前方として、便器前方上端外周よりも便座前方外周を大きくして、便座の前方外周末端１１を便器前方上端２１よりも低くさせた立体的便座として、低くさせていく表面に段差１２を設けており、男が小便使用時は図２の如く便座１、便蓋３をはねあげ、不如意に便器前方上端２１、及びその近辺を汚したとしても、段差１２を便座１の上下操作の確実な手掛かりとして図１の如く便座１を便器２に被せれば手指を汚すこともなく、着座姿勢時の弛緩衣服が前記便器の汚染箇所に触れたり等もなくなる。
【図面の簡単な説明】
【００１３】
【図１】本発明の一部断面概略図
【図２】本発明の実施形態を示す便蓋と便座をともにはねあげた概略図
【符号の説明】
【００１４】１    便座
２    便器
３    便蓋
４    取り付け部
１１  便座の前方外周末端
１２  段差
２１  便器前方上端
【図１】
2014239844.tif 000003
【図２】
2014239844.tif 000004